(57)【要約】【課題】流体経路及び通気経路の両方を提供する無針コネクタであって、各経路が自己シール機能を有し、雌型コネクタに接続することにより両経路が開かれ、雌型コネクタから分離することにより両経路が閉じられる無針コネクタを提供すること。【解決手段】本発明によれば、流体経路、通気経路及び雄型フィッティングを有する本体と、雄型フィッティング内に配置された弁であって、流体経路が閉塞される第１の構成、及び流体経路が開放される第２の構成の間で動くように構成された弁と、弁の周囲に固定して配置されたシール先端であって、弁と雄型フィッティングの間に摺動シール形成するシールを有し、このシールが、雄型フィッティングの内部表面に沿って摺動するように、また第１の構成及び第２の構成において流体経路を通気経路から分離するように構成されている、シール先端とを有する無針コネクタが提供される。【選択図】図３
2020062406.tif 000002
【特許請求の範囲】
【請求項１】
無針コネクタであって、
流体経路、通気経路、及び雄型フィッティングを有する本体であって、前記通気経路は、前記本体内の空所から、遠位ポートを備えた前記雄型フィッティングの外を通り過ぎて配置される本体と、
フィンガを含む弁であって、前記弁は、前記雄型フィッティング内に配置され、且つ前記流体経路が閉塞される第１の構成、及び前記流体経路が開放される第２の構成の間で動くように構成されており、前記フィンガ（１２４）の所定の方向への変位が、前記弁全体を同じ方向に移動させる、弁と、
前記弁の周囲に固定的に配置されたシール先端であって、前記シール先端は、前記弁と前記雄型フィッティングの間に摺動シール形成するシールを有し、前記シールは、前記雄型フィッティングの内部表面に沿って摺動するように、また前記第１の構成及び前記第２の構成において前記流体経路を前記通気経路から分離するように構成されており、前記シールは、前記弁が前記第１の構成から前記第２の構成に動くときに前記シールが前記雄型フィッティングの前記内部表面に沿って摺動する間、前記流体経路と前記通気経路との分離を維持し、また前記シール先端は、前記第１の構成において前記遠位ポートと密閉的に接触して前記流体経路を閉塞させる、シール先端と
を有する、無針コネクタ。
【請求項２】
前記雄型フィッティングの一部分上に配置された摺動第２シールであって、前記第１の構成において前記通気経路を閉塞するため前記雄型フィッティングとシール接触するように、且つ前記第２の構成において前記通気経路を開くため前記雄型フィッティングとシール接触しないように構成された摺動第２シールをさらに有する、請求項１に記載の無針コネクタ。
【請求項３】
前記フィンガが、前記摺動第２シールの一部分内であって前記雄型フィッティングの一部分の外部に配置される、請求項２に記載の無針コネクタ。
【請求項４】
前記摺動第２シールが、前記フィンガに近接した肩を有する、請求項３に記載の無針コネクタ。
【請求項５】
前記肩を移動させることにより、前記摺動第２シールが、前記第１の構成における前記雄型フィッティングとのシール接触から、前記第２の構成における前記雄型フィッティングとのシール接触無しへと動かされ、且つ前記肩が、前記フィンガと接触して前記弁を前記第１の構成から前記第２の構成へと動かす、請求項４に記載の無針コネクタ。
【請求項６】
前記摺動第２シールが、前記本体に固定的にシールされた部分を有する、請求項２に記載の無針コネクタ。
【請求項７】
請求項１に記載の無針コネクタを有する無針コネクタ・セットであって、前記無針コネクタは雄型コネクタ及び雌型コネクタを有し、
前記雌型コネクタは、
本体と、
前記本体内に配置される折り畳み式弁であって、前記弁が前記第１の構成から前記第２の構成に動くときに移動されるように構成された折り畳み式弁と
を有し、
前記雄型コネクタは、嵌合されていないとき前記第１の構成であり、また嵌合されたとき前記第２の構成である、無針コネクタ・セット。
【請求項８】
前記雄型コネクタが、前記雄型フィッティングの一部分上に配置された摺動第２シールであって、前記第１の構成において前記通気経路を閉塞するために前記雄型フィッティングとシール接触するように、且つ前記第２の構成において前記通気経路を開くため前記雄型フィッティングとシール接触しないように構成された摺動第２シールを有する、請求項７に記載の無針コネクタ・セット。
【請求項９】
前記フィンガが、前記摺動第２シールの一部分内であって前記雄型フィッティングの一部分の外部に配置され、
前記摺動第２シールが、前記フィンガに近接した肩を有し、
前記肩を移動させることにより、前記摺動第２シールが、前記第１の構成における前記雄型フィッティングとのシール接触から、前記第２の構成における前記雄型フィッティングとのシール接触無しへと動かされ、且つ前記肩が、前記フィンガと接触して前記弁を前記第１の構成から前記第２の構成へと動かす、請求項８に記載の無針コネクタ・セット。
【請求項１０】
前記雌コネクタの前記本体が、前記肩を移動させるように構成されている、請求項９に記載の無針コネクタ・セット。
【請求項１１】
前記摺動第２シールが、前記第１の構成において閉塞される前記通気経路をシールし、また前記第２の構成において前記通気経路をシールしない、請求項９に記載の無針コネクタ・セット。
【発明の詳細な説明】
【技術分野】
【０００１】
本開示は一般に無針コネクタ（ニードルレス・コネクタ）に関し、より詳細には、自己シール式雄型無針コネクタに関する。
【背景技術】
【０００２】
医療は、静脈（ｉｎｔｒａｖｅｎｏｕｓ、ＩＶ）内カテーテルを使用して、例えば生理食塩水又は液剤といった医療用流体を患者に注入することを含むことが多く、静脈内カテーテルは、一般に「ＩＶセット」と呼ばれる柔軟なチューブ及びフィッティング（結合具）の構成を通じて、例えばＩＶバッグといった流体供給源に接続される。無針フィッティングは一般に、雄型及び雌型の無針コネクタを含み、これらコネクタは国際標準化機構（ＩＳＯ）標準に従う「ルアーテーパ」を有し、ルアーフィッティングの嵌合により液密の接続が形成される。
【０００３】
ある種のコネクタは、コネクタが相手側コネクタから分離されるときに、取付けられたチューブからの流体の漏れを防ぐための自己シール機能を有する。典型的な自己シール式無針コネクタは流体経路しか提供せず、したがって流体経路に対してのみ自己シール機能を提供する。
【先行技術文献】
【特許文献】
【０００４】
【特許文献１】米国特許第８，１８２，４５２号明細書
【発明の概要】
【０００５】
本明細書において開示される無針雄型コネクタは、流体経路及び通気経路の両方を提供し、これらの経路はそれぞれが自己シール機能を有し、開示された雄型コネクタが適合する雌型コネクタに接続することにより流体経路及び通気経路の両方が開かれ、雄型コネクタが適合する雌型コネクタから分離することにより両方の経路が閉じられる。
【０００６】
いくつかの実施例では、雄型無針コネクタが開示され、これは、遠位ポートを備えた雄型フィッティングを有する本体と、本体内に配置され、ポートをシールする第１の位置及びポートをシールしない第２の位置を有する弁と、雄型フィッティングの一部分上に配置される摺動シールであって、その第１の部分が雄型フィッティングとシール接触する第１の構成、及び第１の部分が雄型フィッティングとシール接触しない第２の構成を有する摺動シールとを含む。摺動シールを第２の構成に移動させることにより、摺動シールと雄型フィッティングとの間のシールが開かれ、また弁が第２の位置に移動されて、弁とポートとの間のシールが開かれる。
【０００７】
いくつかの実施例では、雄型コネクタを有する無針コネクタ・セットが開示され、雄型コネクタは、遠位ポートを備えた雄型フィッティングを有する本体と、本体内に配置され、ポートをシールする第１の位置及びポートをシールしない第２の位置を有する弁と、雄型フィッティングの一部分上に配置される摺動シールであって、その第１の部分が雄型フィッティングとシール接触する第１の構成、及び第１の部分が雄型フィッティングとシール接触しない第２の構成を有する摺動シールとを含む。摺動シールを第２の構成に移動させることにより、摺動シールと雄型フィッティングとの間のシールが開かれ、また弁が第２の位置に移動されて、弁とポートとの間のシールが開かれる。このセットはまた、遠位表面を有する本体と、第１の直径を有する遠位表面上の開口部と、開口部から延在する第１の内部通路と、第１の内部通路の近位端部から延在する空所とを含む雌型コネクタを有する。空所は、第１の直径よりも大きい第２の直径を有する。雌型コネクタはまた、本体内に配置され、第１及び第２の位置を有する折り畳み式弁を含む。折り畳み式弁は、第１の直径よりも大きく第２の直径よりも小さい直径を持つ遠位端部と、第２の内部通路と、遠位端部から第２の内部通路に通じるスリットとを有する。折り畳み式弁が第１の位置にあるとき、折り畳み式弁の遠位端部は本体の遠位表面とおおよそ同一平面になり、スリットは閉じられる。折り畳み式弁が第２の位置にあるとき、折り畳み式弁の遠位端部は空所内に配置され、スリットは開かれる。雄型コネクタ及び雌型コネクタは、嵌合されていないときにはそれぞれの第１の位置に配置され、嵌合されたときにはそれぞれの第２の位置に配置される。
【０００８】
添付図面は、さらなる理解を提供するために含まれるものであり、本明細書に組み込まれその一部を構成するものであるが、これらの図面は、開示された実施例を例示し、説明と共に、開示された実施例の原理を説明する機能を果たす。
【図面の簡単な説明】
【０００９】
【図１Ａ】従来の無針雄型コネクタの断面図である。
【図１Ｂ】従来の無針雄型コネクタの断面図である。
【図１Ｃ】従来の無針雄型コネクタの断面図である。
【図２Ａ】本開示のいくつかの観点による、例示的な雄型無針コネクタ断面図である。
【図２Ｂ】図２Ａの雄型無針コネクタと適合する雌型コネクタの断面図である。
【図３】本開示のいくつかの観点による、係合した構成における図２Ａ及び２Ｂの雄型コネクタ及び雌型コネクタを示す断面図である。
【発明を実施するための形態】
【００１０】
本明細書において開示される無針雄型コネクタは、流体経路及び通気経路の両方を提供し、これらの経路はそれぞれが自己シール機能を有し、開示された雄型コネクタが、適合する雌型コネクタに接続することにより、流体経路及び通気経路の両方が開かれ、雄型コネクタが、適合する雌型コネクタから分離することにより、両方の経路が閉じられる。
【００１１】
以下の詳細な説明では、本開示の十分な理解を提供するために、多数の具体的な詳細が提示される。しかし、本開示の実施例は具体的な詳細のうちの一部を含まずに実施されうることが、当業者には明らかになるであろう。他の例では、本開示を不明瞭にしないように、よく知られた構造及び技法は、詳細には示されていない。参照される図面では、同様に番号付けされた要素は、同一であるか又は本質的に類似したものである。添え字のない同じ番号により総称的に言及されているときに、共通の要素の別々の例を示すために、参照番号に添え字が付される場合がある。
【００１２】
図１Ａ〜１Ｃは、米国特許第８，１８２，４５２号で開示されているような従来の無針雄型コネクタ４の断面図である。図１Ａは、嵌合する前の雄型コネクタ４と適合する雌型コネクタ２とを示す。コネクタ４は、先端にポート７を持つ雄型フィッティング５を有する。内部弁６が、フィッティング５に対して摺動し、雄型コネクタ４が雌型コネクタ２と嵌合されていないときに弁６の先端がポート７をシールするように、近位方向に付勢される。
【００１３】
図１Ｂ及び１Ｃは、嵌合したコネクタ２及び４を貫く垂直平面での断面図である。この構成では、雌型コネクタ２の面３は、弁６に接続されたポスト８と接触して、ポスト８を、したがって弁６を、遠位方向に移動させている。この運動は、弁６の先端をポート７から移動させ、それにより、流体が流路９に沿って嵌合したコネクタ２及び４を流れることを可能にする。
【００１４】
コネクタ２及び４を通る気体流路が存在せず、雄型コネクタ４の任意の気体充填部分の周囲大気への閉塞可能な通気経路も存在しないことが、図１Ａ〜１Ｃから分かる。従来の流体無針コネクタは、例えば医療用静脈注射（ＩＶ）セットの流体ラインといった流体ラインを接続するように一般に意図されているので、上記のことは従来の流体無針コネクタに典型的なことである。
【００１５】
図２Ａ〜２Ｂは、本開示のいくつかの観点による、例示的な雄型無針コネクタ１００及び適合する雌型コネクタ２０の断面図である。図２Ａに示される雄型無針コネクタ１００は、その近位端部にポート１１４を持つ雄型ルアーフィッティング１１２を含む本体１１０を有する。いくつかの実施例では、雄型フィッティング１１２は、ルアーテーパを有さない。弁１２０が、本体１１０内に、部分的には雄型フィッティング１１２内に、摺動可能に配置される。シール先端１４０が、弁１２０の近位先端１２４上に配置される。弁１２０は、シール先端１４０が雄型フィッティング１１２のポート１１４に密閉的に（ｓｅａｌｉｎｇｌｙ）接触するように、弁１２０より遠位の空所１０４内に配置されたアコーディオン蛇腹１３０の動作により、近位方向に付勢される。この構成では、シール先端１４０の外部表面１４２は、ポート１１４を囲む雄型フィッティング１１２の外部表面とおおよそ同一平面になる。シール先端１４０は、弁１２０と雄型フィッティング１１２との間に摺動シールを形成する第２のシール１４４を含む。
【００１６】
通路１２２が、弁１２０及びシール先端１４０を貫通し、この実例では、蛇腹１３０の開放内部空所１０２から雄型フィッティング１１２の内部に開いている横方向流体通路１２２Ａに通じる、長手方向流体通路１２２Ｂを含む。内部空所１０２は、取り付けられた流体ライン又はフィッティング（図２Ａには示されていない）の流体通路に接続する。
【００１７】
弁１２０は、弁１２０の近位端部に向かって延在する複数のフィンガ１２４を有する。この実例では、４つのフィンガ１２４が存在するが、他の実施例では、４つよりも少ない又は多いフィンガ１２４が存在しうる。
【００１８】
摺動シール１５０が、その先端１５２を雄型フィッティング１１２にある凹部１１３とシール接触するように、雄型フィッティング１１２の一部分及びフィンガ１２４上に配置される。この実例では、摺動シール１５０の遠位端部が、本体１１０を形成する２つの構成要素間に捕捉されている。摺動シール１５０はまた、フィンガ１２４の近位先端より近位に配置された肩１５４を有する。いくつかの実施例では、摺動シールは弾性材料を含む。いくつかの実施例では、摺動シールは可撓性材料を含む。
【００１９】
図２Ｂは、適合する雌型フィッティング２０のいくつかの構成を示し、雌型フィッティング２０は、この実例では、図２Ａの例示的な雄型ルアーフィッティングに適合する雌型ルアーフィッティングである。幾つかの実施例では、コネクタ２０は、ルアーテーパを有さない。コネクタ２０は、遠位表面３２と開口部３４とを持つ本体３０を有する。折り畳み式弁４０が、本体３０内に配置され、遠位端部４２を有し、遠位端部４２は、この構成では、遠位面４６が本体３０の遠位表面３２とおおよそ同一平面になるように、開口部３４内に配置される。先端４２はスリット４４を備え、スリット４４は、先端４２が図２Ｂに示されるように位置決めされたときには強制的に閉じられ、先端４２が本体３０の広い空所２４内に移動されるように折り畳み式弁４０が近位方向に移動されたときには、自動的に開く。スリット４４は、遠位面４６から、取り付けられた流体ライン又はフィッティング（図２Ｂには示されていない）の流体通路に接続する内部通路２２内に通じる。
【００２０】
図３は、本開示のいくつかの態様による、係合した構成での図２Ａ〜２Ｂの雄型及び雌型のコネクタ１００、２０を示す断面図である。雌型コネクタ２０の本体３０は、コネクタ１００、２０が係合した構成に保持されるように、雄型フィッティング１１２の本体１１０に螺入されている。本体３０が本体１１０に螺入されたので、本体３０の遠位表面３２が摺動シール１５０の肩１５４に当接しており、本体３０が本体１１０内に進められたので、肩１５４及び隣接するフィンガ１２４が遠位方向に移動されている。摺動シール１５０の遠位端部が本体１１０に捕捉されているので、肩１５４が移動することにより、摺動シール１５０が図３に実例として示されるように全体的につぶされる。肩１５４の移動はまた、摺動シール１５０の先端１５２を凹部１１３から離れる方向に引っ張り、それにより、「１６０」と標識された破線により図３に示された通気経路１６０が、摺動シール１５０と雄型フィッティング１１４との間の空所１０４から内部空所２４内まで開かれる。
【００２１】
フィンガ１２４が遠位に移動することにより、弁１２０全体が遠位方向に移動され、それにより、雄型フィッティング１１２内の第２のシール１４４、及びシール先端１４０が、ポート１１４から遠位に移動される。それと同時に、スリット４４が自動的に開くように、雄型フィッティング１１２が折り畳み式弁４０を移動させる。第２のシール１４４が弁１２０と雄型フィッティング１１２との間のシールを維持するので、ここで、「１７０」と標識された実線で示されるように、流体経路１７０が、内部空所１０２から、嵌合したコネクタ１００、２０を通って内部通路２２まで設けられる。流体経路１７０及び通気経路１６０は、雄型フィッティング１１２と折り畳み式弁４０との間のシール、シール先端１４０の第２のシール１４４と雄型フィッティング１１２との間のシール、及びアコーディオン蛇腹１３０と弁１２０との間のシールによって分離されることが分かる。いくつかの実施例では、通気経路１６０は、流体経路１７０より先に開くことができる。他の実施例では、流体経路１７０は、通気経路１６０より先に開くことができる。他の実施例では、流体経路１７０及び通気経路１６０は、ほぼ同時に開くことができる。
【００２２】
いくつかの実施例では、摺動シール１５０は、先端１５２以外の場所で雄型フィッティング１１２とシール接触を形成することができる。いくつかの実施例では、凹部１１３は存在せず、先端１５２が雄型フィッティング１１２の平滑な外部表面に当たってシールしうる。いくつかの実施例では、雄型フィッティング１１２は、外部フィーチャ即ち構造物（図示せず）、例えば遠位〜近位方向に延びる隆起部を有することができ、この隆起部は、移動されていない構成ではフィッティング１１２に密閉的に接触する摺動シール１５０の一部分を、摺動シールが移動されたときに拡張する。
【００２３】
要するに、無針コネクタの開示された実施例は、雄型及び雌型のコネクタが嵌合されていないときにはそれぞれがシールされ、コネクタが嵌合されたときにはそれぞれが自動的に開かれる流体経路及び通気経路を提供することが分かる。
【００２４】
これまでの説明は、いかなる当業者にも本明細書において開示された様々な観点を実施可能とするために提供された。上記では、最良の形態及び／又は他の実例と考えられるものが説明されたが、これらの観点に対する様々な修正が当業者には容易に明らかになるであろうこと、及び本明細書において定義された総括的な原理が他の観点にも適用されうることが、理解される。したがって、特許請求の範囲は、本明細書に示された観点に限定されるものではなく、言語で記載した請求項と整合する最大限の範囲に一致すべきものであり、ここで、或る要素に対する単数形での言及は、特にそのように述べられていない限り、「唯一」であることを意味するのではなく、「１つ又は複数」であることを意味するように意図されている。特に述べられていない限り、用語「一セット（ａ  ｓｅｔ）」及び「いくつかの（ｓｏｍｅ）」は、１つ又は複数を意味する。男性の代名詞（例えば、彼の（ｈｉｓ））は、女性又は中性（例えば、彼女の（ｈｅｒ）及びその（ｉｔｓ））を含み、逆もまた同様である。見出し及び小見出しは、たとえあるとしても、便宜上使用されるものに過ぎず、本発明を限定するものではない。
【００２５】
開示された工程における特定の順序又は階層は、例示的な手法の例示であることが理解される。工程における特定の順序又は階層は設計嗜好に基づき再配列されうることが、理解される。ステップのうちのいくつかは、同時に行われる場合もある。添付の方法の請求項は、様々なステップの要素を見本の順序で提示するものであり、提示された特定の順序又は階層に限定されるものではない。
【００２６】
本開示において、「上部（ｔｏｐ）」、「底部（ｂｏｔｔｏｍ）」、「前部（ｆｒｏｎｔ）」、「後部（ｒｅａｒ）」などの用語は、通常の重力座標系ではなく、任意の座標系を言及するものとして理解されるべきである。したがって、上部表面、底部表面、前部表面、及び後部表面は、重力座標系において上方、下方、斜め方向、又は水平方向に延在していてもよい。
【００２７】
「観点（ａｓｐｅｃｔ）」などの表現は、そのような観点が対象技術に必須であること、又はそのような観点が対象技術のあらゆる構成に適用されることを意味するのではない。一観点に関する開示が、あらゆる構成又は１つ若しくは複数の構成に適用されうる。一観点などの表現が、１つ又は複数の観点に言及する場合があり、逆もまた同様である。「実施例」などの表現は、そのような実施例が対象技術に必須であること、又はそのような実施例が対象技術のあらゆる構成に適用されることを意味するのではない。一実施例に関する開示が、あらゆる実施例又は１つ又は複数の実施例に適用されうる。一実施例などの表現が、１つ又は複数の実施例に言及する場合があり、逆もまた同様である。
【００２８】
本明細書において、用語「例示的（ｅｘｅｍｐｌａｒｙ）」は、「実例又は例示として機能すること」を意味する。本明細書において「例示的」として説明されるあらゆる観点又は設計は、必ずしも他の観点若しくは設計よりも好ましい又は有利であると解釈されるべきではない。
【００２９】
用語「含む（ｉｎｃｌｕｄｅ）」、「有する（ｈａｖｅ）」、「備える（ｗｉｔｈ）」などは、用語「有する（ｃｏｍｐｒｉｓｅ）」が特許請求の範囲において転換語（ｔｒａｎｓｉｔｉｏｎａｌ  ｗｏｒｄ）として用いられる場合の解釈と同様に、包括を意図したものである。
【００３０】
請求項の構成要素は、構成要素が「〜のための手段（ｍｅａｎｓ  ｆｏｒ）」という表現を使用して明確に記載されていない限り、又は、方法の請求項の場合においては構成要素が「〜のためのステップ（ｓｔｅｐ  ｆｏｒ）」という表現を使用して記載されていない限り、米国特許法第１１２条第６段落の規定の下で解釈されるべきではない。
【００３１】
当業者に知られている又は将来知られるようになる、本開示全体にわたって説明される様々な観点の要素の全ての構造的及び機能的な均等物は、参照により本明細書に明確に組み込まれ、特許請求の範囲によって包含されることが意図されている。さらに、本明細書において開示されたものは、そのような開示が特許請求の範囲に明示的に記載されているかどうかに関わらず、公共にささげられることを意図したものではない。
【図１Ａ】
2020062406.tif 000003
【図１Ｂ】
2020062406.tif 000004
【図１Ｃ】
2020062406.tif 000005
【図２Ａ】
2020062406.tif 000006
【図２Ｂ】
2020062406.tif 000007
【図３】
2020062406.tif 000008
【手続補正書】
【提出日】令和2年1月21日(2020.1.21)
【手続補正１】
【補正対象書類名】特許請求の範囲
【補正対象項目名】全文
【補正方法】変更
【補正の内容】
【特許請求の範囲】
【請求項１】
無針コネクタであって、
雄型フィッティング及びポートを有する本体と、
前記本体内に配置された弁であって、前記本体及び前記弁は通気経路及び流体経路を画定する、弁と、
前記弁の一部の上に配置されたシール先端と、
前記雄型フィッティングの一部の上に配置された摺動シールと
を有し、
前記シール先端及び前記摺動シールは、第１の弁位置において前記通気経路及び前記流体経路を閉塞し、また第２の弁位置において前記通気経路及び前記流体経路を開放するように構成されている、無針コネクタ。
【請求項２】
前記シール先端が、前記弁の一部と前記雄型フィッティングの間に配置された第２の摺動シールを有する、請求項１に記載の無針コネクタ。
【請求項３】
前記第２の摺動シールは、前記第２の摺動シールが前記第１の弁位置と前記第２の弁位置の間で前記雄型フィッティングの内部表面に沿って摺動する間、前記流体経路と前記通気経路の間の分離を維持する、請求項２に記載の無針コネクタ。
【請求項４】
前記シール先端及び前記摺動シールは、前記弁が前記第１の弁位置から前記第２の弁位置へと動く際、前記流体経路を開放する前に前記通気経路を開放するように構成されている、請求項１に記載の無針コネクタ。
【請求項５】
前記シール先端及び前記摺動シールは、前記弁が前記第１の弁位置から前記第２の弁位置へと動く際、前記通気経路を開放する前に前記流体経路を開放するように構成されている、請求項１に記載の無針コネクタ。
【請求項６】
前記シール先端及び前記摺動シールは、前記弁が前記第１の弁位置から前記第２の弁位置へと動く際に同じ箇所で前記流体経路及び前記通気経路を開放するように構成されている、請求項１に記載の無針コネクタ。
【請求項７】
前記摺動シールは、前記第１の弁位置において前記雄型フィッティングとシール接触し、且つ前記第２の弁位置において前記雄型フィッティングとシール接触しないように構成されており、また前記摺動シールは、前記第１の弁位置において前記通気経路を閉塞するようにシールする、請求項１に記載の無針コネクタ。
【請求項８】
前記弁は、前記摺動シールの一部内であって前記雄型フィッティングの一部分の外部に配置されるフィンガを有し、また前記摺動シールは、前記フィンガに近接した肩を有する、請求項１に記載の無針コネクタ。
【請求項９】
前記肩の移動により、前記摺動シールが動かされ、且つ前記肩が前記フィンガと接触して前記弁を前記第１の弁位置から前記第２の弁位置へと動かす、請求項８に記載の無針コネクタ。
【請求項１０】
前記摺動シールは、前記本体に固定的にシールされた部分を有する、請求項１に記載の無針コネクタ。
【請求項１１】
前記弁は、前記雄型フィッティングの内部に開いている横方向流体通路と、前記横方向流体通路に接続された長手方向流体通路とを有している、請求項１に記載の無針コネクタ。
【請求項１２】
前記流体経路は、前記長手方向流体通路及び前記横方向流体通路を通して延びている、請求項１１に記載の無針コネクタ。
【請求項１３】
前記弁を前記第２の弁位置に変位させることにより、前記横方向流体通路と前記ポートとの間のシールが開放される、請求項１２に記載の無針コネクタ。
【請求項１４】
前記摺動シールは、前記第１の弁位置において前記雄型フィッティングの凹部とシール接触し、また前記摺動シールは、前記第２の弁位置において前記凹部から離れるように引っ張られている、請求項１に記載の無針コネクタ。
【請求項１５】
雄型コネクタ及び雌型コネクタを有する無針コネクタ・セットであって、
前記雌型コネクタは、
雄型フィッティング及びポートを有する第１の本体と、
前記第１の本体内に配置される摺動弁であって、前記第１の本体及び前記摺動弁は通気経路及び流体経路を画定する、摺動弁と、
前記摺動弁の一部の上に配置されたシール先端と、
前記雄型フィッティングの一部の上に配置された摺動シールと
を有し、
前記シール先端及び前記摺動シールは、第１の弁位置において前記通気経路及び前記流体経路を閉塞し、また第２の弁位置において前記通気経路及び前記流体経路を開放するように構成され、また
前記雌型コネクタは、
第２の本体と、
前記第２の本体内に配置された折り畳み式弁と
を有し、
前記摺動弁は、前記雄型コネクタ及び前記雌型コネクタが嵌合されていないとき前記第１の弁位置にあり、また前記雄型コネクタ及び前記雌型コネクタが嵌合されたとき前記第２の弁位置にある、
無針コネクタ・セット。
【請求項１６】
前記摺動シールは、前記第１の弁位置において前記雄型フィッティングとシール接触するように、且つ前記第２の弁位置において前記雄型フィッティングとシール接触しないように構成され、また前記摺動シールは、前記第１の弁位置において前記通気経路を閉塞するようにシールし、且つ前記第２の弁位置において前記通気経路をシールしない、請求項１５に記載の無針コネクタ・セット。
【請求項１７】
前記弁は、前記摺動シールの一部分内であって前記雄型フィッティングの一部分の外部に配置されたフィンガを有し、前記摺動シールは、前記フィンガに近接した肩を有し、前記肩の移動により、前記摺動シールが動かされ、且つ前記肩が前記フィンガと接触して前記弁を前記第１の弁位置から前記第２の弁位置へと動かす、請求項１６に記載の無針コネクタ・セット。
【請求項１８】
前記雌コネクタの前記本体は、前記雄型コネクタ及び前記雌型コネクタが嵌合されるときに前記肩を移動させるように構成されている、請求項１７に記載の無針コネクタ・セット。
【請求項１９】
前記シール先端及び前記摺動シールは、前記第１の弁位置と前記第２の弁位置の間の異なる箇所で前記通気経路及び前記流体経路を開放するように構成されている、請求項１５に記載の無針コネクタ・セット。
【請求項２０】
前記シール先端は、前記摺動弁の一部と前記雄型フィッティングの間に配置された第２の摺動シールを有し、前記第２の摺動シールは、前記第２の摺動シールが前記第１の弁位置と前記第２の弁位置の間で前記雄型フィッティングの内部表面に沿って摺動する際に前記流体経路及び前記通気経路の間の分離を維持する、請求項１５に記載の無針コネクタ・セット。